(57)【要約】【課題】エレベータかご室内に配設される操作盤には、かご上に設置された機器からケーブルにより電源が供給されている。かご上の機器から操作盤へケーブルを通す場合、かご室内から見えなくする為に、かご室壁内を通すなど配線作業に多大な労力を費やしていた。本発明は、意匠性を妨げることなく、かご室内の操作盤に供給する電力を不要とするものである。【解決手段】エレベータの操作ボタンは、ＬＥＤ１３を配設したＬＥＤ基板１２と、ＬＥＤ基板１２の前面に設けられたボタンキャップ１４、ボタンキャップ１４の前面に配設され、かご室の照明光２５で発電する第１の太陽電池１５、を備えたボタン部と、ＬＥＤ基板１２を配設すると共に、ボタン部を押圧方向に摺動可能に保持し、操作盤７の表板８に固定される本体ケース１１と、本体ケース１１に設けられ、ボタン部に押圧されてＯＮするスイッチ１８と、を備えている。【選択図】図４
2017178600.tif 000002
【特許請求の範囲】
【請求項１】
ＬＥＤを配設したＬＥＤ基板と、
前記ＬＥＤ基板の前面に設けられたボタンキャップ、前記ボタンキャップの前面に配設され、かご室の照明光で発電する第１の太陽電池、を備えたボタン部と、
前記ＬＥＤ基板を配設すると共に、前記ボタン部を押圧方向に摺動可能に保持し、操作盤の表板に固定される本体と、
該本体に設けられ、前記ボタン部に押圧されてＯＮするスイッチと、
を備えたことを特徴とするエレベータの操作ボタン。
【請求項２】
前記ＬＥＤ基板と前記ボタンキャップとの間に設けられ、前記ＬＥＤの光で発電する第２の太陽電池、
を備えたことを特徴とする請求項１に記載のエレベータの操作ボタン。
【請求項３】
前記第１の太陽電池を覆い、かご室の照明光を前記第１の太陽電池に集光する集光パネル、
を備えたことを特徴とする請求項１に記載のエレベータの操作ボタン。
【請求項４】
前記第２の太陽電池は、前記ＬＥＤの光を透過する光透過部を備えた、
ことを特徴とする請求項２に記載のエレベータの操作ボタン。
【請求項５】
前記ボタンキャップは、前記ＬＥＤの光を透過する文字表示部を備えた、
ことを特徴とする請求項１に記載のエレベータの操作ボタン。
【請求項６】
前記第１の太陽電池は、前記ＬＥＤの光を透過する光透過部を備えた、
ことを特徴とする請求項１に記載のエレベータの操作ボタン。
【請求項７】
請求項１乃至６のいずれか１項に記載のエレベータの操作ボタンを備えた、
ことを特徴とするエレベータの操作盤。
【請求項８】
請求項１乃至６のいずれか１項に記載のエレベ−タの操作ボタンを操作盤に角度を設けて配設した、
ことを特徴とする請求項７に記載のエレベータの操作盤。
【発明の詳細な説明】
【技術分野】
【０００１】
この発明は、太陽電池パネルを備えたエレベータの操作ボタンに関する。
【背景技術】
【０００２】
エレベータかご室内に配設される操作盤には、かご上に設置された機器からケーブルにより電源が供給されている。かご上の機器から操作盤へケーブルを通す場合、かご室内から見えなくする為にかご室壁内を通すなど、配線作業に多大な労力を費やしていた。この配線作業を低減するため、かご室内での太陽電池を用いた発電により電力を賄う提案がされている(例えば特許文献１)。
【先行技術文献】
【特許文献】
【０００３】
【特許文献１】特開２００２−３２１８７９号公報  (第１図)
【発明の概要】
【発明が解決しようとする課題】
【０００４】
特許文献１では操作盤の表面に太陽電池を設けている。近来、かご室を省スペース化する為に操作盤もスリム化する必要があるが、太陽電池を配設することで多大なスペースを必要としていた。
【０００５】
この発明は上記課題を解決するためになされたもので、少ないスペースでかご室内で発電することにより、かご上の機器からの電源供給を不要とできることを目的とする。
【課題を解決するための手段】
【０００６】
この発明に係るエレベータの操作ボタンは、ＬＥＤを配設したＬＥＤ基板と、前記ＬＥＤ基板の前面に設けられたボタンキャップ、前記ボタンキャップの前面に配設され、かご室の照明光で発電する第１の太陽電池、を備えたボタン部と、前記ＬＥＤ基板を配設すると共に、前記ボタン部を押圧方向に摺動可能に保持し、操作盤の表板に固定される本体と、該本体に設けられ、前記ボタン部に押圧されてＯＮするスイッチと、を備えている。
【発明の効果】
【０００７】
この発明によれば、操作盤の操作ボタンに太陽電池を設けているので、少ないスペースで発電することができ、かご上の機器からの電源供給を不要とできる。
【図面の簡単な説明】
【０００８】
【図１】この発明の実施の形態１の操作ボタンを備えたかご室内を示す図である。
【図２】図１における操作ボタンを表す図（断面図）である。
【図３】図１における太陽電池を示す図である。
【図４】この発明の発電システムの概要図である。
【図５】操作ボタンを配置した操作盤の図である。
【発明を実施するための形態】
【０００９】
以下、この発明の詳細について、上記図面を用いて説明する。
【００１０】
実施の形態１
図１〜図５は、この発明の実施の形態１を説明する図である。
図１に示すかご室１は、床２に立設した壁３の上部に天板４が設けられている。天板４には照明１０が設けられている。また、出入口はドア５で開閉される。袖壁６には行先階登録等の操作を行う操作盤７が設けられている。操作盤７の表板８には操作ボタン９が配設されている。
【００１１】
図２に示す操作ボタン９は、表板８の裏面に固定されている。
操作ボタン９は、ボタンキャップ１４と、ボタンキャップ１４を保持した取付け板１６と、取付け板１６を付勢するバネ２０と、操作ボタン９の押圧によりＯＮするスイッチ１８と、取付け板１６を本体ケース１１に保持する保持金具１９と、ボタンキャップ１４に光を照射するＬＥＤ基板１２と、により構成されている。また、ボタンキャップ１４は、前面には第１の太陽電池１５と、第１の太陽電池１５を覆う集光パネル１７を配設している。さらに、ボタンキャップ１４は、ＬＥＤ基板１２との間に第２の太陽電池２１を有している。
【００１２】
ボタンキャップ１４は、取付け板１６に設けられた取付穴１６ａに挿通されて取付けられている。また、ボタンキャップ１４は略四角形の表面から側面が立設して形成され、この側面が取付穴１６ａに挿通されている。さらに、ボタンキャップ１４は、アルミ材または不透明の樹脂部材により形成されている。
【００１３】
取付け板１６は、本体ケース１１に保持金具１９を介して操作ボタン９の押圧方向に摺動自在に保持されている。押圧方向とは、図２において、上方から下方への方向である。
【００１４】
ＬＥＤ基板１２は、本体ケース１１に固定されている。また、ＬＥＤ基板１２は、ボタンキャップ１４の文字部（表示部）を点灯させるＬＥＤ１３を配設している。そして、ＬＥＤ基板１２の前方に、ボタンキャップ１４が配設されている。
【００１５】
本体ケース１１は、表板８の裏面に設けた固定柱８ｂに、本体ケース１１の図示していない穴を挿通し、締結具８ｃを用いて固定されている。
本体ケース１１にはスイッチ１８が配設されており、操作ボタン９を押圧することで取付け板１６がスイッチ１８に当接する。スイッチ１８は、取付け板１６に押圧されてＯＮする。また、操作ボタン９を解除する方向に取付け板１６を付勢するバネ２０が本体ケース１１に配設されている。
【００１６】
第１の太陽電池１５はボタンキャップ１４の前面に配設されている。第１の太陽電池１５はアモルファスシリコン型であり、可視光の波長の光で最も効率よく電気変換を行うことができるので、かご室の照明光でも十分発電を行うことができる。また、第１の太陽電池１５の中央部は、図３に示すように光が通過して文字を表示する光透過部１５ａを備えており、光透過部１５ａを除いた部分で発電する。
【００１７】
集光パネル１７は、第１の太陽電池１５を覆ってボタンキャップ１４に取付けられている。集光パネル１７は円形の表面から側面が立設しており、側面の先端部をボタンキャップ１４の表面に固定している。集光パネル１７の表面はレンズの様に突出しており、かご室の照明光を第１の太陽電池１５に集める。ここで、ボタンキャップ１４に第１の太陽電池１５が取付けられた状態をボタン部と呼ぶが、これに加え、取付け板１６に保持されている状態でもよい。さらに、これらに加え、集光パネル１７が取付けられている状態でもよい。
【００１８】
また、第２の太陽電池２１は、ボタンキャップ１４の内側に設けられており、ＬＥＤ１３の照射光を受光して発電する。第２の太陽電池２１は、薄膜多結晶シリコン型であり、長波長（赤色系）の光の電気変換効率に優れるので、長波長の光であるＬＥＤ１３のオレンジ色の光を電力に変換することができる。また、第２の太陽電池２１は、図３に示すようにＬＥＤ１３の照射光を透過させる光透過部２１ａを中央部に備えており、光透過部２１ａを除いた部分で発電する。
【００１９】
図４にこの発明の発電システムの概要を示している。
操作ボタン９は、かご室１の照明１０からの照明光２５を集光パネル１７で集光し、集光した光を第１の太陽電池１５が受光する。ボタンキャップ１４の中央部は、ＬＥＤ基板１２のＬＥＤ１３の照射する光が通過して文字を表示する文字表示部１４ａを備えている。また、ＬＥＤ基板１２とボタンキャップ１４の間に、ＬＥＤ１３の照射光を受光して発電する第２の太陽電池２１が備えられている。そして、光透過部１５ａ、２１ａと文字表示部１４ａは互いに相通している。これにより、ＬＥＤ１３の照射光が途中で遮断されず、集光パネル１７側からボタンキャップ１４の文字を認識できるように配設されている。
【００２０】
また、操作ボタン制御手段２３を備えており、第１、第２の太陽電池１５、２１の発電した電力を電力回収手段２２により回収し、充電手段２４に充電する。充電した電力は、ＬＥＤ基板１２と、かご内の操作盤９に供給する。
【００２１】
図５に示すように、操作ボタン９は操作盤７に角度を設けて配設されている。これにより、操作ボタン９は照明１０を向いて配設されている。
【００２２】
上記実施の形態１により、以下の効果を得ることができる。
操作ボタン９は、ＬＥＤ１３を配設したＬＥＤ基板１２と、ＬＥＤ１３の前面に設けられたボタンキャップ１４、ボタンキャップ１４の前面に配設され、照明光２５で発電する第１の太陽電池１５、を備えたボタン部と、を備えているので、発電した電力で操作ボタン９および操作盤７の電力を賄うことができる。かご室１の照明１０による照明光２５は、天気や時間によって照度が変化する太陽光と違い常に一定の照度を保っているので、操作ボタン９および操作盤７に十分な電源供給能力を持つ電源として利用することができる。
【００２３】
さらに、ＬＥＤ基板１２とボタンキャップ１４との間に設けられ、ＬＥＤ１３の光で発電する第２の太陽電池２１を備えているので、より多くの電力を得ることができる。
【００２４】
また、第１の太陽電池１５を覆い、照明光２５を第１の太陽電池１５に集光する集光パネル１７を備えているので、照明光２５を効率的に集めることができる。
【００２５】
第１、第２の太陽電池１５、２１は、ＬＥＤ１３の光を透過する光透過部１５ａ、２１ａを備えているので、ボタンキャップ１４の文字部を表示しながら、残りの部分で効率よく発電することができる。
【００２６】
ボタンキャップ１４は、ＬＥＤ１３の光を透過して文字を表示する文字表示部１４ａを備えているので、文字を表示することができる。
【００２７】
操作盤７は、第１、第２の太陽電池１５、２１を備えた操作ボタン９を配設しているので、かご室１内の照明光２５および操作ボタン９のＬＥＤ１３の光で発電することができる。これにより、かご室１上の機器からの電源供給を不要とできる。
【００２８】
操作ボタン９を操作盤７に角度をつけて配設したので、かご室１の照明１０を向いて配設されており、照明光２５を効率よく集光することができる。これにより、照明光２５で効率よく発電することができる。また、操作ボタン９は、角度をもって配設されているので押し易くなっている。
【符号の説明】
【００２９】
７  操作盤、  ８  表板、  ９  操作ボタン、  １０  照明、  １１  本体ケース、  １２  ＬＥＤ基板、    １３  ＬＥＤ、  １４  ボタンキャップ、  １４ａ  文字表示部、  １５  第１の太陽電池、  １５ａ  光透過部、  １６  取付け板、    １７  集光パネル、  １８  スイッチ、  １９  保持金具、  ２０  バネ、  ２１  第２の太陽電池、  ２１ａ  光透過部、  ２２  電力回収手段、  ２３  操作ボタン制御手段、  ２４  充電手段、  ２５  照明光。
【図１】
2017178600.tif 000003
【図２】
2017178600.tif 000004
【図３】
2017178600.tif 000005
【図４】
2017178600.tif 000006
【図５】
2017178600.tif 000007